(57)【要約】【課題】処理ユニットへの操作や管理機能の操作に対する制限を与える。【解決手段】入金情報に関わる処理を行う処理ユニットを内装する筐体１と、筐体１を開閉する外扉２と、筐体１の内部であって外扉２のさらに内側に設けてあり金庫８を開閉する内扉９とを備える。そして、外扉２のみの開放時には、金庫８の外にあるプリンタ１３および電源部１５への操作が行えるとともに、設定部１４による管理機能の操作が一部制限される。内扉９の開放時には、金庫８の内部に収容した紙幣処理部１１および保管庫１１ａへの操作が行えるとともに、設定部１４による管理機能の操作制限が解除される。【選択図】        図２
2005284362.tif 000002
【特許請求の範囲】
【請求項１】
入金情報を情報記録媒体に記録する情報記録媒体用入金機において、
前記入金情報に関わる処理を行う処理ユニットを内装する筐体と、
前記筐体を開閉する外扉と、
前記筐体の内部であって前記外扉のさらに内側に設けてあり前記処理ユニットの一部を収容する内部領域を開閉する内扉と
を備え、前記外扉のみの開放時に前記内部領域に収容した前記処理ユニットの一部への操作を前記内扉が阻止し、前記内扉の開放時に前記内部領域に収容した前記処理ユニットの一部への操作を許可することを特徴とする情報記録媒体用入金機。
【請求項２】
前記処理ユニットの一部は、前記筐体の内部に投入された金銭の正偽や金額を認識する金銭処理部、および投入された正しい金銭を保管する保管庫を有することを特徴とする請求項１に記載の情報記録媒体用入金機。
【請求項３】
入金情報を情報記録媒体に記録する情報記録媒体用入金機において、
前記入金情報の処理に関わる管理機能の操作を行う設定部を内装する筐体と、
前記筐体を開閉する外扉と、
前記筐体の内部であって前記外扉のさらに内側の内部領域を開閉する内扉と
を備え、前記外扉のみの開放時に管理機能の操作を前記内扉が制限し、前記内扉の開放時に前記管理機能の操作制限を解除することを特徴とする情報記録媒体用入金機。
【発明の詳細な説明】
【技術分野】
【０００１】
本発明は、投入された金銭などの入金情報を、例えば非接触ＩＣカードなどの情報記録媒体に対して記録する情報記録媒体用入金機に関するものである。
【背景技術】
【０００２】
近年、電子マネーと称して、例えば非接触ＩＣカードなどの情報記録媒体に入金情報を記録しておき、当該情報記録媒体によって商品やサービスの決済を行うものが知られている。この種の情報記録媒体においては、記録した金額の残高がなくなるか少なくなると商品やサービスの決済ができなくなるため、金銭の入金情報を情報記録媒体に積み増して記録する入金機が必要になる。そこで、従来、非接触ＩＣカードに対して金額を積み増しする入金機が知られている（例えば、特許文献１または特許文献２参照）。
【０００３】
【特許文献１】特開２００１−９３００３号公報
【特許文献２】特開２００３−３６４６６号公報
【発明の開示】
【発明が解決しようとする課題】
【０００４】
ところで、上述した入金機では、金銭を機内に投入し、その入金情報を情報記録媒体に記録する。すなわち、金銭は機内に内装した保管庫に保管してある。また、上述した入金機では、機内に内装した処理ユニットの保守などの操作を要する。このような構成においては、入金機を管理する場合に、例えば金銭に関わらない操作と、金銭に関わる操作とを区分けして制限する要求がある。
【０００５】
また、上述した入金機では、例えば入金情報を情報記録媒体に記録するための各種設定事項の変更などの管理機能がある。この管理機能に関しても、入金機を管理する場合に、例えば一部の管理機能のみの操作と、全ての管理機能の操作とに区分けして制限する要求がある。
【０００６】
本発明は、上記実情に鑑みて、処理ユニットへの操作や管理機能の操作に対する制限を与えることができる情報記録媒体用入金機を提供することを目的とする。
【課題を解決するための手段】
【０００７】
上記の目的を達成するために、本発明の請求項１に係る情報記録媒体用入金機は、入金情報を情報記録媒体に記録する情報記録媒体用入金機において、前記入金情報に関わる処理を行う処理ユニットを内装する筐体と、前記筐体を開閉する外扉と、前記筐体の内部であって前記外扉のさらに内側に設けてあり前記処理ユニットの一部を収容する内部領域を開閉する内扉とを備え、前記外扉のみの開放時に前記内部領域に収容した前記処理ユニットの一部への操作を前記内扉が阻止し、前記内扉の開放時に前記内部領域に収容した前記処理ユニットの一部への操作を許可することを特徴とする。
【０００８】
本発明の請求項２に係る情報記録媒体用入金機は、上記請求項１において、前記処理ユニットの一部は、前記筐体の内部に投入された金銭の正偽や金額を認識する金銭処理部、および投入された正しい金銭を保管する保管庫を有することを特徴とする。
【０００９】
本発明の請求項３に係る情報記録媒体用入金機は、入金情報を情報記録媒体に記録する情報記録媒体用入金機において、前記入金情報の処理に関わる管理機能の操作を行う設定部を内装する筐体と、前記筐体を開閉する外扉と、前記筐体の内部であって前記外扉のさらに内側の内部領域を開閉する内扉とを備え、前記外扉のみの開放時に管理機能の操作を前記内扉が制限し、前記内扉の開放時に前記管理機能の操作制限を解除することを特徴とする。
【発明の効果】
【００１０】
本発明に係る情報記録媒体用入金機は、外扉のみの開放時に内部領域に収容した処理ユニットへの操作を内扉が阻止し、内扉の開放時に内部領域に収容した処理ユニットへの操作を許可する。これにより、処理ユニットへの操作に対して制限を与えることができる。
【００１１】
また、内扉の開放時に金銭処理部および保管庫を表出して金銭に関わる作業が行える。これにより、外扉だけを開放したときでは、金銭に触れることができないので防盗性を備えることができる。
【００１２】
本発明に係る情報記録媒体用入金機は、外扉のみの開放時に管理機能の操作を内扉が制限し、内扉の開放時に管理機能の操作制限を解除する。これにより、外扉の開放時と内扉の開放時とで管理機能の操作が変わるので管理機能の操作に対して制限を与えることができる。
【発明を実施するための最良の形態】
【００１３】
以下に添付図面を参照して、本発明に係る情報記録媒体用入金機の好適な実施例を詳細に説明する。なお、この実施例によりこの発明が限定されるものではない。
【実施例】
【００１４】
図１は本発明に係る情報記録媒体用入金機の実施例における外観を示す斜視図、図２は図１に示した情報記録媒体用入金機のブロック図である。
【００１５】
本実施例における情報記録媒体用入金機は、非接触ＩＣカード１００を情報記録媒体として採用してある。非接触ＩＣカード１００は、図には明示しないが、ＩＣチップと、当該ＩＣチップに接続したコイル状アンテナとを基板に配置してなる。ＩＣチップは、記録部、送受信部および電源整流部が内蔵してある。記録部は、記録情報として例えば積み増しの際の金額情報およびその日時情報などの入金情報、あるいは商品やサービスの決済を行うための金額情報およびその日時情報などの出金情報などを記録する。送受信部は、後述する読み書き部１２と情報の送受信を行う。電源整流部は、読み書き部１２が送信した所定の電波によってコイル状アンテナの共振作用（電磁誘導など）で発生した起電力を、ＩＣチップの作動電力として得る。なお、情報記録媒体としては、上述した非接触ＩＣカード１００の他に、例えば上記構成を内蔵した携帯通信端末（例えば携帯電話機）として構成できる。
【００１６】
図１および図２に示すように情報記録媒体用入金機は、非接触ＩＣカード１００に対して金銭などの入金情報を記録するものである。この情報記録媒体用入金機は、筐体１の外部であって当該筐体１を開閉する扉体としての外扉２に表示部３、操作部４、紙幣投入口５、載置部６、およびレシート取出口７を設けてある。外扉２は、筐体１を閉止する閉塞状態で外扉錠２ａによって施錠される一方、当該外扉錠２ａの解錠によって開放状態になる。また、図には明示しないが、筐体１と外扉２との間には、外扉２の開放状態を検出する外扉センサを設けて当該外扉センサを制御部１６に接続してあってもよい。
【００１７】
表示部３は、制御部１６に接続してあって、通常時には載置部６に載置された非接触ＩＣカード１００に書き込まれている入金情報の残高、または紙幣投入口５から投入された紙幣の入金額が表示される。
【００１８】
操作部４は、制御部１６に接続してあって本実施例では押しボタンからなり、入金ボタン４ａ、取り消しボタン４ｂおよびレシートボタン４ｃを有している。入金ボタン４ａは、紙幣投入口５から投入された紙幣の入金額である入金情報を非接触ＩＣカード１００に書き込む際に押下するものである。取り消しボタン４ｂは、非接触ＩＣカード１００への入金情報の書き込みを取り消す際に押下するものである。レシートボタン４ｃは、レシートの出力の際に押下するものである。
【００１９】
紙幣投入口５は、紙幣を投入する部位であって、後述する紙幣処理部１１に通じてある。なお、紙幣投入口５は、金銭投入口として紙幣以外に硬貨を投入する形態であってもよい。
【００２０】
載置部６は、非接触ＩＣカード１００を載置する部位であって、その底側には、後述する読み書き部１２のアンテナ１２ａが配してある。また、載置部６は、非接触ＩＣカード１００以外に、ＩＣチップなどを内蔵した携帯通信端末も載置できる。
【００２１】
レシート取出口７は、レシートを払い出す部位であって、後述するプリンタ１３に通じてある。
【００２２】
筐体１の内部には、図２に示すように処理ユニットが内装してある。処理ユニットは、紙幣処理部１１（金銭処理部）、読み書き部１２、プリンタ１３、設定部１４、および電源部１５からなる。
【００２３】
紙幣処理部１１は、制御部１６に接続してあって、紙幣投入口５から投入された紙幣の正偽を判定し、当該紙幣が正紙幣であった場合にさらに投入金額の認識を行う。また、紙幣処理部１１は、投入金額の情報を制御部１６に送る。この紙幣処理部１１は、保管庫１１ａに通じてある。保管庫１１ａは、紙幣投入口５から投入された紙幣の入金額である入金情報を非接触ＩＣカード１００に書き込まれたときに、当該紙幣を収容して保管する。
【００２４】
これら、処理ユニットの一部である紙幣処理部１１および保管庫１１ａは、筐体１の内部にある内部領域としての金庫８の内部に収容してある。金庫８は、外扉２のさらに内側にある扉体としての内扉９によって開閉される。内扉９は、外扉２に重ねて設けてあって当該外扉２を開放することにより開閉できる態様で設けてある。この内扉９は、金庫８を閉止する閉塞状態で内扉錠９ａによって施錠される一方、当該内扉錠９ａの解錠によって開放状態になる。また、図には明示しないが、内扉錠９ａには、その解錠を検出する内扉錠センサが設けてあり、当該内扉錠センサを制御部１６に接続してある。なお、内扉錠センサに換えて、内扉９の開放状態を検出する内扉センサ（図示せず）を制御部１６に接続して設けてもよい。
【００２５】
読み書き部１２は、制御部１６に接続してあって、アンテナ１２ａを介して載置部６に載置された非接触ＩＣカード１００と情報の送受信を行う。すなわち、読み書き部１２は、アンテナ１２ａを介して所定の電波を発信し、非接触ＩＣカード１００のコイル状アンテナに起電力を生じさせてＩＣチップの作動電力とする。これにより、読み書き部１２は、例えば非接触ＩＣカード１００に記録されている残高を読み出す一方、積み増しの際の金額情報およびその日時情報などの入金情報を非接触ＩＣカード１００に書き込み記録する。また、読み書き部１２は、読み出した情報を制御部１６に送る一方、書き込むべき入金情報を制御部１６から得る。
【００２６】
プリンタ１３は、制御部１６に接続してあって、例えば、非接触ＩＣカード１００に書き込み記録された情報を制御部１６から入力し、当該情報をプリント出力したレシート（領収書）をレシート取出口７から払い出す。なお、図には明示しないが、プリンタ１３は、ロール状のレシート用紙と、プリントされたレシート用紙を切断するカッタとを有している。
【００２７】
設定部１４は、制御部１６に接続してあって、本情報記録媒体入金機に関わる管理機能の操作が行われる。図には明示しないが、設定部１４は、管理機能の操作を実行するための設定キーを有している。設定部１４による管理機能の操作は、例えばレシートの再プリント、定期情報のプリント、金銭の統計処理、統計データのプリント、センターサーバ１８との通信情報のプリント、日時設定、入金機の機能設定、設定の初期化などがある。
【００２８】
電源部１５は、表示部３、操作部４、紙幣処理部１１、読み書き部１２、プリンタ１３、設定部１４、および制御部１６に対して電力を供給する。図には明示しないが、電源部１５は、供給する電力をＯＮ／ＯＦＦする電源スイッチを有している。
【００２９】
制御部１６は、予めメモリ１６ａに格納したプログラムやデータに従って、表示部３、紙幣処理部１１、読み書き部１２、およびプリンタ１３の制御を行うためのものである。また、制御部１６には、ルータ１７ａが接続してあり、本情報記録媒体入金機を管理するセンターサーバ１８側に接続してあるルータ１７ｂを介して当該センターサーバ１８と通信を行う。センターサーバ１８との通信としては、例えば保管庫１１ａから投入紙幣を回収するときに保管庫１１ａに収容してある保管金額の統計（締め）を行った統計情報の送信などがある。
【００３０】
図３は制御部が実行する入金処理を示すフローチャートである。以下、図２および図３を適宜参照しながら、情報記録媒体入金機の制御部１６が実行する入金処理について説明する。なお、本実施例における情報記録媒体入金機の制御部１６は、単一の紙幣（例えば日本円で１０００円札、２０００円札、５０００円札、１００００円札）一枚のみを受け入れて、その入金情報を非接触ＩＣカード１００に記録する入金処理を実行するものである。
【００３１】
まず、電源部１５の電源スイッチがＯＮされて、内扉９および外扉２が閉鎖状態にあり、かつ、載置部６に非接触ＩＣカード１００が載置されていない場合、制御部１６は、待機状態となっている。この待機状態において、制御部１６は、読み書き部１２を制御してアンテナ１２ａを介して所定の電波を発信するとともに、非接触ＩＣカード１００が取扱中である旨を表示部３に表示する。
【００３２】
上述した待機状態から、制御部１６は、利用者などによって載置部６に非接触ＩＣカード１００が載置されたかを判断する（ステップＳ１）。載置部６に非接触ＩＣカード１００が載置されると（ステップＳ１：Ｙｅｓ）、制御部１６は、非接触ＩＣカード１００に記録された情報を読み書き部１２から得ることにより、当該非接触ＩＣカード１００が正規ものかを判断する（ステップＳ２）。非接触ＩＣカード１００が正規ものである場合（ステップＳ２：Ｙｅｓ）、制御部１６は、非接触ＩＣカード１００に記録された残高を読み書き部１２から得て、当該残高を表示部３に表示する（ステップＳ３）。
【００３３】
次いで、紙幣投入口５から紙幣が投入されると（ステップＳ４：Ｙｅｓ）、制御部１６は、投入金額を紙幣処理部１１から得て、当該投入金額を表示部３に表示する（ステップＳ５）。
【００３４】
次いで、操作部４の取り消しボタン４ｂが押下されることなく（ステップＳ６：Ｎｏ）、操作部４の入金ボタン４ａが押下されると（ステップＳ７：Ｙｅｓ）、制御部１６は、非接触ＩＣカード１００に対して入金情報を記録する（ステップＳ８）。
【００３５】
最後に、操作部４のレシートボタン４ｃが押下されると（ステップＳ９：Ｙｅｓ）、制御部１６は、プリンタ１３を制御することによってレシートをプリント出力して当該レシートをレシート取出口７から払い出し（ステップＳ１０）、本入金処理を終了する。
【００３６】
上記入金処理において、載置部６に載置された非接触ＩＣカード１００が正規のものでない場合（ステップＳ２：Ｎｏ）、制御部１６は、表示部３に取扱不可のエラーメッセージを表示して（ステップＳ１１）、本入金処理を終了する。また、上記入金処理において、操作部４の取り消しボタン４ｂが押下された場合（ステップＳ６：Ｙｅｓ）、制御部１６は、紙幣処理部１１を制御して投入された紙幣を紙幣投入口から返却して（ステップＳ１２）、本入金処理を終了する。また、上記入金処理において、操作部４のレシートボタン４ｃが押下されなかったとき（ステップＳ９：Ｎｏ）、具体的には、例えば載置部６から非接触ＩＣカード１００が取り除かれたとき、制御部１６は、本入金処理を終了する。
【００３７】
なお、図には明示しないが、上記入金処理において、紙幣投入口５から紙幣が投入されたとき（ステップＳ５）、当該紙幣が偽紙幣であった場合、あるいは当該紙幣の正偽が判断できなかった場合に、制御部１６は、紙幣処理部１１を制御して投入された紙幣を紙幣投入口から返却して、本入金処理を終了する。また、図には明示しないが、上記入金処理において、非接触ＩＣカード１００に対して入金情報が記録されなかったとき、具体的には、例えばステップＳ８以前に載置部６から非接触ＩＣカード１００が取り除かれたとき、あるいはステップＳ８において記録エラーとなったとき、制御部１６は、表示部３にエラーメッセージを表示するとともに、紙幣処理部１１を制御して投入された紙幣を紙幣投入口から返却して、本入金処理を終了する。
【００３８】
ところで、上述した情報記録媒体用入金機では、外扉２のみの開放時に、処理ユニットの一部への操作を内扉９が阻止する。具体的には、外扉２のみを開放することによって、金庫８（内部領域）に収容した処理ユニットの一部である紙幣処理部１１および保管庫１１ａが内扉９によって覆われて表出せず、金庫８の外側にあるプリンタ１３および電源部１５が表出する。すなわち、外扉２のみの開放時に、プリンタ１３におけるレシート用紙の交換やレシート用紙の用紙詰まりの対処などの保守操作、あるいは電源部１５の電源スイッチのＯＮ／ＯＦＦの操作を行うことが可能であるが、紙幣処理部１１および保管庫１１ａの操作を内扉９が阻止する。
【００３９】
そして、内扉９の開放時には、金庫８（内部領域）に収容した処理ユニットの一部である紙幣処理部１１および保管庫１１ａへの操作を許可する。具体的には、内扉９を開放することによって、上記プリンタ１３および電源部１５に加えて、紙幣処理部１１および保管庫１１ａが表出する。すなわち、プリンタ１３および電源部１５への操作に加えて、紙幣処理部１１における紙幣詰まりの対処などの操作、あるいは保管庫１１ａからの投入紙幣の回収などの操作を行うことが可能になる。
【００４０】
また、上述した情報記録媒体用入金機では、外扉２のみの開放時に、上述した設定部１４による管理機能の操作を内扉９が制限する。内扉９による管理機能の操作制限は、例えば設定部１４の設定キーの一部を内扉９で覆うことによって、外扉２の開放時に設定キーの全てを表出させず、表出した設定キーだけの操作を許可する態様で限定する。あるいは、外扉２の開放時に設定部１４の設定キーの全てが表出する構成とし、内扉９が閉鎖状態のとき（内扉錠センサ（内扉センサ）によって内扉９の開放状態が検出されていないとき）、上記制御部１６が設定キーの一部の操作を制限する。外扉２のみの開放時に可能な設定部１４による管理機能の操作は、例えば上述したレシートの再プリントあるいは定期情報のプリントなどがある。
【００４１】
そして、内扉９の開放時には、上述した設定部１４の管理機能の操作制限を解除する。管理機能の操作制限の解除は、例えば内扉９が覆う設定部１４の設定キーの一部を含む全ての設定キーを表する。あるいは、内扉９が開放状態のとき（内扉錠センサ（内扉センサ）によって内扉９の開放状態が検出されたとき）、上記制御部１６が設定キーの全ての操作を許可する。内扉９の開放時に限定が解除される管理機能の操作は、外扉２の開放時に操作可能な上記操作に加えて、例えば金銭の統計（締め）処理、統計データのプリント、センターサーバ１８との通信情報のプリント、日時設定、入金機の機能設定、設定の初期化などがある。
【００４２】
したがって、上述した情報記録媒体用入金機では、外扉２の外扉錠２ａのみを解錠する鍵を持つ管理者は、外扉２のみを開放してプリンタ１３の保守作業あるいは電源部１５の電源スイッチのＯＮ／ＯＦＦ作業などの操作を行えるとともに、設定部１４による管理機能の操作を一部制限されて行える。一方、外扉２の外扉錠２ａおよび内扉９の内扉錠９ａを解錠する鍵を持つ別の管理者は、外扉２を開放した上記操作に加え、内扉９を開放して紙幣処理部１１の保守作業あるいは保管庫１１ａからの投入紙幣の回収作業などの操作を行えるとともに、設定部１４による管理機能の操作制限が解除されて全ての管理機能の操作を行える。すなわち、処理ユニットへの操作や管理機能の操作に対する制限を与えることが可能になる。特に、外扉２だけを開放したときでは、内扉９内にある紙幣に触れることができないので防盗性を備えることが可能になる。
【００４３】
なお、上述した実施例では、筐体１を開閉する外扉２と、当該外扉２よりも筐体１の内側にある内扉９との二重の扉体を有することで、処理ユニットへの操作や設定部１４による管理機能の操作に対して制限を与える。その他、三重あるいは四重など複数重なる扉体を有することで、同様に処理ユニットへの操作や管理機能の操作に対する制限を与える構成としてもよい。
【００４４】
また、重なる複数の扉体によって、処理ユニットへの操作や管理機能の操作に対する制限を与える構成以外に、筐体１の異なる部位を開閉する複数の扉体によって処理ユニットへの操作や管理機能の操作に対する制限を与える構成もある。
【産業上の利用可能性】
【００４５】
以上のように、本発明に係る記録媒体用入金機は、機内に投入された金銭などの入金情報を、非接触ＩＣカードなどの情報記録媒体に対して記録する場合に有用であり、特に、処理ユニットへの操作や管理機能の操作に対する制限を与えることに適している。
【図面の簡単な説明】
【００４６】
【図１】本発明に係る情報記録媒体用入金機の実施例における外観を示す斜視図である。
【図２】図１に示した情報記録媒体用入金機のブロック図である。
【図３】制御部が実行する入金処理を示すフローチャートである。
【符号の説明】
【００４７】
１    筐体
２    外扉
２ａ    外扉錠
２    内扉
３    表示部
４    操作部
４ａ    入金ボタン
４ｂ    取り消しボタン
４ｃ    レシートボタン
５    紙幣投入口
６    載置部
７    レシート取出口
８    金庫
９    内扉
９ａ    内扉錠
１１    紙幣処理部
１１ａ    保管庫
１２    読み書き部
１２ａ    アンテナ
１３    プリンタ
１４    設定部
１５    電源部
１６    制御部
１６ａ    メモリ
１７ａ，１７ｂ    ルータ
１８    センターサーバ
１００    非接触ＩＣカード（情報記録媒体）
【図１】
2005284362.tif 000003
【図２】
2005284362.tif 000004
【図３】
2005284362.tif 000005